(57)【要約】内側ポット（１０）と、内側蓋（２０）と、第１の弾性シーリングリング（３０）とを備える炊飯器が、提供される。内側蓋（２０）は、内側ポット（１０）上にスナップ留めされてポット空洞（４０）を閉じ込め、第１の弾性シールリング（３０）は、内側蓋（２０）の周囲に配設されて、内側蓋（２０）が内側ポット（１０）上にスナップ留めされたとき、内側蓋（２０）と内側ポット（１０）の間の空隙を密封する。内側蓋（２０）は、ポット空洞（４０）に面する内面と、内面の反対側に配設された外面とを備える。内側蓋（２０）には、内面および外面を通り抜ける排気貫通穴（２１）が提供される。炊飯器は、内側蓋（２０）の外面上に取り付けられ排気貫通穴（２１）を覆う弾性シーリングディスク（５１）を備える排気貫通穴シーリング手段（５０）をさらに備える。ポット空洞（４０）の内部空気圧力と外部空気圧力の間の差が、第１の圧力差より小さいとき、弾性シールディスク（５１）は、排気貫通穴（２１）を密封し、その差が、第１の圧力差より大きいとき、弾性シールディスク（５１）は、排気貫通穴（２１）の密封を解放する。炊飯器は、炊飯器内の食品の温置および鮮度の時間を長くすることができる。
2016517784.tif 000002
【特許請求の範囲】
【請求項１】
内側ポット（１０）と、内側蓋（２０）と、第１の弾性シールリング（３０）とを備える炊飯器であって、前記内側蓋（２０）は、前記内側ポット（１０）上にスナップ留めされてポット空洞（４０）を閉じ込め、前記第１の弾性シールリング（３０）は、前記内側蓋（２０）の周囲に配設されて、前記内側蓋（２０）が前記内側ポット（１０）上にスナップ留めされたとき、前記内側蓋（２０）と前記内側ポット（１０）の間の空隙を封止し、前記内側蓋（２０）は、前記ポット空洞（４０）に面する内面と、前記内面の反対側に配設された外面とを備える、炊飯器において、前記内側蓋（２０）には、前記内面および前記外面を通り抜ける排気貫通穴（２１）が提供され、前記炊飯器は、前記内側蓋（２０）の前記外面上に取り付けられ前記排気貫通穴（２１）を覆う弾性シーリングディスク（５１）を備える排気貫通穴シーリング手段（５０）をさらに備え、前記ポット空洞（４０）の内部空気圧力と外部空気圧力の間の差が、第１の圧力差より小さいとき、前記弾性シーリングディスク（５１）は、前記排気貫通穴（２１）を密封し、前記差が、前記第１の圧力差より大きいとき、前記弾性シーリングディスク（５１）は、前記排気貫通穴（２１）の密封を解放することを特徴とする炊飯器。
【請求項２】
前記排気貫通穴シーリング手段（５０）は、前記弾性シーリングディスク（５１）および前記内側蓋（２０）にそれぞれ連結された連結部（５２）をさらに備えて、前記弾性シーリングディスク（５１）が前記内側蓋（２０）から係合解除されることを防止することを特徴とする請求項１に記載の炊飯器。
【請求項３】
前記連結部（５２）は、
前記排気貫通穴（２１）内に位置決めされた連結ポスト（５２１）であって、通気通路（Ｇ）が、前記連結ポスト（５２１）と前記排気貫通穴（２１）の間に形成され、前記弾性シーリングディスク（５１）は、前記連結ポスト（５２１）の前記第１の端部上に配設される、連結ポスト（５２１）と、
前記ポット空洞（４０）内に位置決めされ、前記連結ポスト（５２１）の前記第２の端部上に配設された限定部であって、前記限定部の外側縁の少なくとも一部と、前記排気貫通穴（２１）の中央軸との間の距離が、前記排気貫通穴（２１）の半径より大きく、前記排気貫通穴（２１）と連通する通気ポート（Ｏ）が、前記限定部と前記内側蓋（２０）の間に提供される、限定部と、
を備えることを特徴とする請求項２に記載の炊飯器。
【請求項４】
前記連結ポスト（５２１）と前記排気貫通穴（２１）の間に隙間ばめが存在し、前記連結ポスト（５２１）と前記排気貫通穴（２１）の間の空隙は、前記通気通路（Ｇ）を形成することを特徴とする請求項３に記載の炊飯器。
【請求項５】
前記限定部は、前記連結ポスト（５２１）の前記第２の端部上に配設された雄型リング（５２２）であり、前記通気ポート（Ｏ）を形成する間隔が、前記内側蓋（２０）の表面に最も近い前記雄型リング（５２２）の少なくとも一部と、前記内側蓋（２０）の前記内面との間に提供されることを特徴とする請求項３に記載の炊飯器。
【請求項６】
作動部を備え非機能位置および機能位置を有する作動機構（６０）をさらに備え、
前記非機能位置では、前記作動部は、前記排気貫通穴シーリング手段（５０）から分離され、
前記機能位置では、前記作動部は、前記排気貫通穴シーリング手段（５０）と共働し、前記弾性シーリングディスク（５１）は、前記作動部および前記差の組み合わせられた作用の下で、前記排気貫通穴（２１）の密封を解放することを特徴とする請求項１に記載の炊飯器。
【請求項７】
前記排気貫通穴シーリング手段（５０）は、前記弾性シーリングディスク（５１）上であって前記内側蓋（２０）から遠ざかる側に提供された隆起（５３）をさらに備え、
前記炊飯器は、作動部を備え非機能位置および機能位置を有する作動機構（６０）をさらに備え、
前記非機能位置では、前記作動部は、前記排気貫通穴シーリング手段（５０）から分離され、
前記機能位置では、前記作動部は、前記排気貫通穴シーリング手段（５０）の前記隆起（５３）に押し付けられ、前記作動部および前記差の作用の下にある前記隆起（５３）は、前記内側蓋（２０）の前記外面からの前記弾性シーリングディスク（５１）の分離の少なくとも一部をもたらして前記排気貫通穴（２１）の密封を解放することを特徴とする請求項１に記載の炊飯器。
【請求項８】
前記炊飯器は、前記作動機構（６０）と相互リンクされた係止部（７０）をさらに備え、前記係止部（７０）は、係止位置および非係止位置を有し、
前記係止位置では、前記内側蓋（２０）および前記内側ポット（１０）は、スナップ係止された状態にあり、前記作動機構（６０）は、前記非機能位置にあり、
前記非係止位置では、前記内側蓋（２０）および前記内側ポット（１０）は、係止が解放された状態にあり、前記作動機構（６０）は、機能位置にあることを特徴とする請求項６または７に記載の炊飯器。
【請求項９】
前記係止部（７０）は、前記作動機構（６０）と相互リンクされたボタン（７１）と、前記ボタン（７１）に連結され前記ボタン（７１）によって駆動されるラッチ（７２）とを備え、前記ボタン（７１）は、自由状態および押下状態を有し、
前記自由状態では、前記係止部（７０）は、前記係止位置にあり、前記ラッチ（７２）は、前記内側蓋（２０）および前記内側ポット（１０）を前記スナップ係止された状態に保ち、
前記押下状態では、前記係止部（７０）は、前記非係止位置にあり、前記ラッチ（７２）は、前記内側蓋（２０）および前記内側ポット（１０）を、前記スナップ係止が解放された状態にすることを特徴とする請求項８に記載の炊飯器。
【請求項１０】
前記作動機構（６０）は、
第１の端部、および反対側に配設された第２の端部と、それらの間に配設されたヒンジ部とを備える第１の連結棒（６１）であって、前記第１の連結棒（６１）は、前記ヒンジ部の周りに前記内側蓋（２０）に対して回転可能に配設され、前記第１の連結棒（６１）の前記第１の端部は、前記ボタン（７１）の下方に配設され、前記ボタン（７１）と当接し共働する、第１の連結棒（６１）と、
第１の端部と、反対側に配設された第２の端部とを備える第２の連結棒（６２）であって、前記第２の連結棒（６２）の前記第１の端部は、前記第１の連結棒（６１）の前記第２の端部と当接し共働し、前記第２の連結棒（６２）は、前記第１の連結棒（６１）の前記第２の端部の駆動の下、前記第１の連結棒（６１）の回転と共に前記内側蓋（２０）に対して並進しうるように配設され、前記第２の連結棒（６２）の前記第２の端部は、前記作動部を形成する、第２の連結棒（６２）と、
を備えることを特徴とする請求項９に記載の炊飯器。
【請求項１１】
前記第１の連結棒（６１）の前記第２の端部は、外方向に凸状に湾曲された表面を備え、
第２の連結棒（６２）の前記第１の端部は、前記第２の連結棒（６２）の並進方向に対して斜めに配設された平面を備え、前記平面は、前記外方向に凸状に湾曲された表面と当接し共働することを特徴とする請求項１０に記載の炊飯器。
【請求項１２】
前記炊飯器は、
外側蓋（１００）であって、前記内側蓋（２０）が前記外側蓋（１００）の内側に連結された、外側蓋と、
前記外側蓋（１００）上に配設された排気弁組立体（９０）と、
前記外側蓋（１００）と前記内側蓋（２０）の間に配設され、前記排気貫通穴（２１）、前記排気貫通穴シーリング手段（５０）、および前記排気弁組立体（９０）の各周囲の周りに密閉式に配設される、第２の弾性シールリング（８０）であって、装着穴を備える、第２の弾性シールリングと
をさらに備え、
前記第２の連結棒（６２）と前記第２の弾性シールリング（８０）の前記装着穴とは、密閉式に係合されることを特徴とする請求項１０に記載の炊飯器。
【請求項１３】
前記第２の連結棒（６２）は、前記第２の連結棒（６２）の前記第１の端部と前記第２の端部との間に配設された固定部を備え、前記第２の連結棒（６２）は、前記固定部によって前記第２の弾性シールリング（８０）に密閉式に固定されることを特徴とする請求項１２に記載の炊飯器。
【請求項１４】
前記固定部は、第１の環状部（６２１）および第２の環状部（６２２）を備え、それら両環状部の間には、前記第２の弾性シールリング（８０）の前記装着穴が配設され、前記第１の環状部（６２１）および前記第２の環状部（６２２）それぞれは、前記第２の弾性シールリング（８０）に当接することを特徴とする請求項１３に記載の炊飯器。
【請求項１５】
前記炊飯器は、前記作動機構（６０）に駆動式に連結され前記作動機構（６０）を駆動して前記機能位置から前記非機能位置に戻すために使用される、リセット機構をさらに備えることを特徴とする請求項６または７に記載の炊飯器。
【請求項１６】
前記第１の弾性シールリング（３０）は、前記内側蓋（２０）が前記内側ポット（１０）上にスナップ留めされるときに、前記ポット空洞（４０）の前記内部空気圧力と前記外部空気圧力の間の前記差を、前記第１の圧力差より大きくする変形を生み出すように構成されることを特徴とする請求項１乃至７のいずれか一項に記載の炊飯器。
【請求項１７】
前記第１の圧力差は、ゼロより大きい、またはゼロに等しいことを特徴とする請求項１乃至７のいずれか一項に記載の炊飯器。
【発明の詳細な説明】
【技術分野】
【０００１】
本発明は、家庭用器具の分野、より詳細には炊飯器に関する。
【背景技術】
【０００２】
炊飯器が、特許文献１で説明された炊飯器のものに類似する構造を有することがすでに知られている。図１に示されるように、この知られている炊飯器は、一般的に、外側ポット１２０、加熱プレート１３０、内側ポット１０、外側蓋、内側蓋２０、排気弁組立体、第１の弾性シールリング３０および第２の弾性シールリングを備える。内側蓋２０は、内側ポット１０上にスナップ留め（ｓｎａｐｐｅｄ）されてポット空洞４０を閉じ込める。第１の弾性シールリング３０は、内側蓋２０の周囲に配設されて、内側蓋２０が内側ポット１０上にスナップ留めされたとき、内側蓋２０と内側ポット１０の間の空隙を密封する。内側蓋２０は、ポット空洞４０に面する内面と、内面の反対側に配設された外面とを備え、内側蓋２０には、内面および外面を通り抜ける排気貫通穴２１が提供される。内側蓋２０は、外側蓋の内側に連結される。排気弁組立体は、外側蓋上に配設される。第２の弾性シールリングは、外側蓋と内側蓋２０の間に配設され、排気貫通穴２１および排気弁組立体の入口の各周囲の周りに密閉式に配設される。
【先行技術文献】
【特許文献】
【０００３】
【特許文献１】中国出願公開１４９８５７２号
【発明の概要】
【発明が解決しようとする課題】
【０００４】
本発明を実施する過程において、本発明者は、上記の従来技術が、少なくとも以下の欠点を有することを見出した：食品が調理された後、ポット空洞４０は、排気貫通穴２１および排気弁組立体を通じて大気と連通しているため、空気がポット空洞４０の内部にすばやく入り、したがって炊飯器内で食品を温かく新鮮な状態に保つことが難しい。
【０００５】
本発明の目的は、食品が炊飯器によって調理された後、炊飯器内で食品の温置および鮮度の時間を長くすることができる炊飯器を提供することである。
【課題を解決するための手段】
【０００６】
上記の目的を達成するために、本発明は、内側ポットと、内側蓋と、第１の弾性シールリングとを備える炊飯器であって、内側蓋は、内側ポット上にスナップ留めされてポット空洞を閉じ込め、第１の弾性シールリングは、内側蓋の周囲に配設されて、内側蓋が内側ポット上にスナップ留めされたとき、内側蓋と内側ポットの間の空隙を密封し、内側蓋は、ポット空洞に面する内面と、内面の反対側に配設された外面とを備え、内側蓋には、内面および外面を通り抜ける排気貫通穴が提供される、炊飯器を提供する。炊飯器は、内側蓋の外面上に取り付けられ排気貫通穴を覆う、弾性シーリングディスクを備える排気貫通穴シーリング手段をさらに備える。ポット空洞の内部空気圧力と外部空気圧力の間の差が、第１の圧力差より小さいとき、弾性シーリングディスクは、排気貫通穴を密封し、その差が、第１の圧力差より大きいとき、弾性シーリングディスクは、排気貫通穴の密封を解放する。好ましい実施形態では、第１の圧力差は、ゼロより大きく、またはゼロに等しい。
【０００７】
別の態様によれば、排気貫通穴シーリング手段は、弾性シーリングディスクおよび内側蓋にそれぞれ連結された連結部をさらに備えて、弾性シーリングディスクが内側蓋から係合解除されることを防止する。
【０００８】
別の態様によれば、連結部は、排気貫通穴内に位置決めされた連結ポストであって通気通路が、連結ポストと排気貫通穴の間に形成され、弾性シーリングディスクは、連結ポストの第１の端部上に配設される、連結ポストと、ポット空洞内に位置決めされ、連結ポストの第２の端部上に配設された限定部であって、限定部の外側縁の少なくとも一部と、排気貫通穴の中央軸との間の距離が、排気貫通穴の半径より大きく、排気貫通穴と連通する通気ポートが、限定部と内側蓋の間に提供される、限定部とを備える。
【０００９】
別の態様によれば、連結ポストと排気貫通穴の間に隙間ばめが存在し、連結ポストと排気貫通穴の間の空隙は、通気通路を形成する。
【００１０】
別の態様によれば、限定部は、連結ポストの第２の端部上に配設された雄型リングであり、通気ポートを形成する間隔が、内側蓋の表面に最も近い雄型リングの少なくとも一部と、内側蓋の内面との間に提供される。
【００１１】
別の態様によれば、炊飯器は、作動部を備え非機能位置および機能位置を有する、作動機構をさらに備え、この場合、非機能位置では、作動部は、排気貫通穴シーリング手段から分離され、機能位置では、作動部は、排気貫通穴シーリング手段と共働し、弾性シーリングディスクは、作動部および前述された差の組み合わせられた作用の下で、排気貫通穴の密封を解放する。
【００１２】
別の態様によれば、排気貫通穴シーリング手段は、内側蓋から外方の弾性シーリングディスクの１つの側上に提供された隆起をさらに備え、炊飯器は、作動部を備え非機能位置および機能位置を有する、作動機構をさらに備え、この場合、非機能位置では、作動部は、排気貫通穴シーリング手段から分離され、機能位置では、作動部は、排気貫通穴シーリング手段の隆起に押さえ付けられ、作動部および前述された差の作用の下にある隆起は、内側蓋の外面からの弾性シーリングディスクの分離の少なくとも一部をもたらして排気貫通穴の密封を解放する。
【００１３】
別の態様によれば、炊飯器は、作動機構と相互リンクされた係止部をさらに備え、係止部は、係止位置および非係止位置を有し、この場合、係止位置では、内側蓋および内側ポットは、スナップ係止された状態にあり、作動機構は非機能位置にあり、非係止位置では、内側蓋および内側ポットは、スナップ係止が解放された状態にあり、作動機構は機能位置にある。
【００１４】
別の態様によれば、係止部は、作動機構と相互リンクされたボタンと、ボタンに連結されボタンによって駆動されるラッチとを備え、ボタンは、自由状態および押下状態を有し、この場合、自由状態では、係止部は、係止位置にあり、ラッチは内側蓋および内側ポットをスナップ係止された状態に保ち、押下状態では、係止部は、非係止位置にあり、ラッチは、内側蓋および内側ポットを、スナップ係止が解放された状態に保つ。
【００１５】
別の態様によれば、作動機構は、第１の端部および反対側に配設された第２の端部と、それらの間に配設されたヒンジ部とを備える第１の連結棒であって、第１の連結棒は、ヒンジ部の周りに内側蓋に対して回転可能に配設され、第１の連結棒の第１の端部は、ボタンの下方に配設され、ボタンと当接し共働する、第１の連結棒と、第１の端部、および反対側に配設された第２の端部を備える第２の連結棒であって、第２の連結棒の第１の端部は、第１の連結棒の第２の端部と当接し共働し、第２の連結棒は、第１の連結棒の第２の端部の駆動の下、第１の連結棒の回転と共に内側蓋に対して並進しうるように配設され、第２の連結棒の第２の端部は、作動部を形成する、第２の連結棒とを備える。
【００１６】
別の態様によれば、第１の連結棒の第２の端部は、外方向に凸状に湾曲された表面を備え、第２の連結棒の第１の端部は、第２の連結棒の並進方向に対して斜めに配設された平面を備え、この平面は、外方向に凸状に湾曲された表面と当接し共働する。
【００１７】
別の態様によれば、炊飯器は、外側蓋であって、内側蓋が外側蓋の内側に連結された外側蓋と、外側蓋上に配設された排気弁組立体と、外側蓋と内側蓋の間に配設され、排気貫通穴、排気貫通穴シーリング手段、および排気弁組立体の各周囲の周りに密閉式に配設される、第２の弾性シールリングであって、装着穴を備える、第２の弾性シールリングとをさらに備え、第２の連結棒および第２の弾性シールリングの装着穴は、密閉式に係合される。
【００１８】
別の態様によれば、第２の連結棒は、第２の連結棒の第１の端部と第２の端部との間に配設された固定部を備え、第２の連結棒は、固定部によって第２の弾性シールリングに密閉式に固定される。
【００１９】
別の態様によれば、固定部は、第１の環状部および第２の環状部を備え、それら両環状部の間には、第２の弾性シールリングの装着穴が配設され、第１の環状部および第２の環状部それぞれは、第２の弾性シールリングに当接する。
【００２０】
別の態様によれば、炊飯器は、作動機構に駆動式に連結され、作動機構を駆動して機能位置から非機能位置に戻すために使用されるリセット機構をさらに備える。
【００２１】
別の態様によれば、第１の弾性シールリングは、内側蓋が内側ポット上にスナップ留めされるときに、ポット空洞の内部空気圧力と外部空気圧力の間の差を、第１の圧力差より大きくする変形を生み出すように構成される。
【発明の効果】
【００２２】
本発明による炊飯器に関して、内側蓋の排気貫通穴に提供された排気貫通穴シーリング手段により、食品が調理されるとき、蒸気がポット空洞内に連続的に生み出されるため、ポット空洞の内部空気圧力と外部空気圧力の間の差は、第１の圧力差より大きく、排気貫通穴のシーリングは、弾性シーリングディスクによって解放され、それによってポット空洞内のガスが排出され、食品が調理された後、ポット空洞の内部空気圧力と外部空気圧力の間の差が、第１の圧力差未満まで徐々に低減するとき、排気貫通穴は、弾性シーリングディスクによって密封され、空気はポット空洞内に入ることができず、それによってポット空洞内の食品を空気から隔離することを可能にし、したがってポット空洞内の食品の温置および鮮度の時間が長くされ得る。
【図面の簡単な説明】
【００２３】
本出願の一部を構成する図は、本発明のさらなる理解を提供するために使用され、本発明の例示的な実施形態およびその説明は、本発明を説明する働きをし、本発明を過度に限定すると解釈されるものではない。
【００２４】
【図１】従来技術の炊飯器の構造の概略図である。
【図２】本発明の実施形態による炊飯器の構造の概略図である。
【図３】排気貫通穴シーリング手段が、炊飯器がスナップ留めされる、または食品が調理されるときに排気状態にあるときの、図２の炊飯器の構造の部分的拡大概略図である。
【図４】排気貫通穴シーリング手段が、食品が調理された後にシーリング状態にあるときの、図２の炊飯器の構造の部分的拡大概略図である。
【図５】排気貫通穴シーリング手段が、作動機構によって駆動されてシーリング状態から排気状態に移った後の、図２の炊飯器の構造の部分的拡大概略図である。
【発明を実施するための形態】
【００２５】
本発明が、次に、図を参照し、実施形態に関連して詳細に説明される。本出願における実施形態および実施形態における特徴は、利益の衝突がない場合、互いに組み合わされてよいことが留意される。
【００２６】
図２から図５に示されるように、本発明の実施形態による炊飯器は、内側ポット１０と、内側蓋２０と、第１の弾性シールリング３０と、排気貫通穴シーリング手段５０とを備える。内側蓋２０は、内側ポット１０上にスナップ留めされてポット空洞４０を閉じ込める。第１の弾性シールリング３０は、内側蓋２０の周囲に配設されて、内側蓋２０が内側ポット１０上にスナップ留めされたとき、内側蓋２０と内側ポット１０の間の空隙を密封する。内側蓋２０は、ポット空洞４０に面する内面と、内面の反対側に配設された外面とを備える。内側蓋２０には、内面および外面を通り抜ける排気貫通穴２１が提供される。排気貫通穴シーリング手段５０は、内側蓋２０の外面上に取り付けられ排気貫通穴２１を覆う弾性シーリングディスク５１を備える。ポット空洞４０の内部空気圧力と外部空気圧力の間の差が、第１の圧力差より小さいとき、弾性シーリングディスク５１は、排気貫通穴２１を密封し、その差が、第１の圧力差より大きいとき、弾性シーリングディスク５１は、排気貫通穴２１の密封を解放し、この場合、第１の圧力差は、ゼロより大きく、またはゼロに等しい。
【００２７】
本発明による炊飯器に関して、内側蓋２０の排気貫通穴２１に提供された排気貫通穴シーリング手段５０により、食品が調理されるとき、蒸気がポット空洞４０内に連続的に生み出されるため、ポット空洞４０の内部空気圧力と外部空気圧力の圧力差は、第１の圧力差より大きく、排気貫通穴２１のシーリングは、弾性シーリングディスク５１によって解放され、それによってポット空洞４０内のガスが排出され、食品が調理された後、ポット空洞４０の内部空気圧力と外部空気圧力の間の圧力差が、第１の圧力差未満まで徐々に低減するとき、排気貫通穴２１は、弾性シーリングディスク５１によって密封され、空気はポット空洞４０内に入ることができず、それによってポット空洞４０内の食品を空気から隔離することを可能にし、したがってポット空洞４０内の食品の温置および鮮度の時間が長くされ得る。
【００２８】
本発明の実施形態が、図２から図５を参照して以下で詳細に説明される。
【００２９】
図２に示されるように、本実施形態の炊飯器は、外側ポット１２０と、加熱プレート１３０と、内側ポット１０と、外側蓋１００と、内側蓋２０と、排気弁組立体９０と、第１の弾性シールリング３０および第２の弾性シールリング８０と、排気貫通穴シーリング手段５０と、係止部７０と、作動機構６０とを備える。内側蓋２０は、外側蓋１００の内側に連結される。内側蓋２０は、内側ポット１０上にスナップ留めされてポット空洞４０を閉じ込める。内側ポット１０は、外側ポット１２０内に配設され、加熱プレート１３０上に着座する。第１の弾性シールリング３０は、内側蓋２０の周囲に配設されて、内側蓋２０が内側ポット１０上にスナップ留めされたとき、内側蓋２０と内側ポット１０の間の空隙を密封する。内側蓋２０は、ポット空洞４０に面する内面と、内面の反対側に配設された外面とを備え、内側蓋２０には、内面および外面を通り抜ける排気貫通穴２１が提供される。排気貫通穴シーリング手段５０は、排気貫通穴２１を密封するための弾性シーリングディスク５１を備える。排気貫通穴２１が、排気貫通穴シーリング手段５０の弾性シーリングディスク５１によって密封されたとき、ポット空洞４０は、閉鎖された空間を形成し、外部空気から隔離され得る。
【００３０】
排気弁組立体９０は、外側蓋１００上に配設される。第２の弾性シールリング８０は、外側蓋１００と内側蓋２０の間に配設され、排気貫通穴２１、排気貫通穴シーリング手段５０、および排気弁組立体９０の各周囲の周りに密閉式に配設される。したがって、第２の弾性シールリング８０のシーリング作用のため、ポット空洞４０から排気貫通穴２１を通って排出されたガスは、排気弁組立体９０を通って直接大気に排出され、内側蓋２０と外側蓋１００の間の第２の弾性シールリング８０の外側の部分に入ることはない。
【００３１】
図２から図５に示されるように、この実施形態では、弾性シーリングディスク５１は、たとえば、排気貫通穴２１の直径より大きい直径を備えた円形ディスクでよい。
【００３２】
排気貫通穴シーリング手段５０は、弾性シーリングディスク５１を内側蓋２０に連結するための連結部５２をさらに備える。連結部５２は、弾性シーリングディスク５１および内側蓋２０にそれぞれ連結されて弾性シーリングディスク５１が内側蓋２０から係合解除されることを防止する。
【００３３】
図２から図５に示されるように、この実施形態では、連結部５２は、連結ポスト５２１および限定部を備える。
【００３４】
図４に示されるように、連結ポスト５２１は、排気貫通穴２１内に位置決めされ、通気通路Ｇが、連結ポスト５２１と排気貫通穴２１の間に提供され、弾性シールリングディスク５１は、連結ポスト５２１の第１の端部上に配設される。
【００３５】
図４に示されるように、限定部は、ポット空洞４０内に配置され、連結ポスト５２１の第２の端部上に配設され、限定部の外側縁の少なくとも一部と排気貫通穴２１の中央軸の間の距離は、排気貫通穴２１の半径より大きく、限定部と内側蓋２０の間に排気貫通穴２１と連通する通気ポートＯが存在する。
【００３６】
この実施形態では、排気貫通穴シーリング手段５０の連結ポスト５２１は、円筒状の形状でよく、排気貫通穴２１と隙間ばめを形成し、連結ポスト５２１と排気貫通穴２１の間の空隙は、通気通路Ｇを形成する。ここでは、通気通路Ｇは、環状である。
【００３７】
図示されない例では、連結ポスト５２１はまた、とりわけ矩形、楕円形または５点形（ｑｕｉｎｃｕｎｘｉａｌ）の断面を有する筒状体（ｃｙｌｉｎｄｅｒ）になることもでき、通気通路Ｇは、連結ポスト５２１の断面形状に適合された他の形状を有してよい。
【００３８】
この実施形態では、排気貫通穴シーリング手段５０の限定部は、連結ポスト５２１の第２の端部上に配設された雄型リング５２２であり、通気ポートＯを形成する間隔が、内側蓋２０の表面に最も近い雄型リング５２２の少なくとも一部と、内側蓋２０の内面の間に提供される。
【００３９】
図示されない例では、限定部は、これが、排気貫通穴シーリング手段５０を画成し、通気ポートを形成することができる限り、半円リングまたは複数の径方向突出部などの他の構造を有してよい。
【００４０】
図２に示されるように、この実施形態では、好ましくは、炊飯器は、作動部を備え非機能位置および機能位置を有する、作動機構６０をさらに備える。この場合、非機能位置では、作動部は、排気貫通穴シーリング手段５０から分離され、機能位置では、作動部は、排気貫通穴シーリング手段５０と共働し、弾性シーリングディスク５１は、作動部およびポット空洞４０の内部空気圧力と外部空気圧力の間の差の組み合わせられた作用下で排気貫通穴２１の密封を解放する。この実施形態では、作動部および前述された差の組み合わされた作用の下、内側蓋２０の外面からの弾性シーリングディスク５１の分離の少なくとも一部がもたらされて、ポット空洞４０の内部がポット空洞４０の外部と連通することを可能にする。
【００４１】
加えて、図２から図５に示されるように、この実施形態では、排気貫通穴シーリング手段５０はまた、内側蓋２０から外方の弾性シーリングディスク５１の１つの側に提供された隆起５３も備える。作動機構６０の機能位置では、作動機構６０の作動部は、排気貫通穴シーリング手段５０の隆起５３に押し付けられ、作動部および前述された差の組み合わされた作用下にある隆起５３は、内側蓋２０の外面からの弾性シーリングディスク５１の分離の少なくとも一部をもたらし、こうしてポット空洞４０の内部がポット空洞４０の外部と連通することを可能にする。
【００４２】
図２に示されるように、この実施形態の炊飯器は、作動機構６０と相互リンクされた係止部７０をさらに備え、係止部７０は、係止位置および非係止位置を有する。係止位置では、内側蓋２０および内側ポット１０は、スナップ係止された状態にあり、作動機構６０は非機能位置にあり、非係止位置では、内側蓋２０および内側ポット１０は、スナップ係止が解放された状態にあり、作動機構６０は機能位置にある。
【００４３】
図２に示されるように、係止部７０は、作動機構６０と相互リンクされたボタン７１と、ボタン７１に連結されボタン７１によって駆動されるラッチ７２とを備え、ボタン７１は、自由状態および押下状態を有する。ボタン７１が自由状態にあるとき、係止部７０は、係止位置にあり、ラッチ７２は、内側蓋２０および内側ポット１０をスナップ係止された状態に保ち、この時点において、図３および図４に示されるように、作動機構６０は非機能位置にあり；ボタン７１が押下状態にあるとき、係止部７０は、非係止位置にあり、ラッチ７２は、内側蓋２０および内側ポット１０を、スナップ係止が解放された状態に保ち、この時点において、図５に示されるように、作動機構６０は機能位置にある。
【００４４】
図２に示されるように、この実施形態では、作動機構６０は、第１の連結棒６１と、第２の連結棒６２と、ヒンジシャフト６３と、支持部６４とを備える。第１の連結棒６１は、第１の端部と、反対側に配設された第２の端部とを備える。ヒンジシャフト６３は、第１の連結棒６１の第１の端部と第２の端部との間に配設された第１の連結棒６１のヒンジ部を通って延びる。ヒンジシャフト６３は、内側蓋１０または外側蓋１００上に配設されてよい。第１の連結蓋６１は、ヒンジ部の周りに内側蓋２０に対して回転可能に配設され、この場合、第１の連結棒６１の第１の端部は、ボタン７１の下方に配設され、ボタン７１と当接し共働する。
【００４５】
第２の連結棒６２は、第１の端部と、反対側に配設された第２の端部とを備える。第２の連結棒６２の第１の端部は、第１の連結棒６１の第２の端部と当接し、共働する。第２の連結棒６２は、第１の連結棒６１の第２の端部の駆動の下、第１の連結棒６１の回転と共に内側蓋２０に対して並進しうるように配設され、この場合、第２の連結棒６２の第２の端部は、作動部を形成する。この実施形態では、作動機構は、２つの支持部６４を備え、その各々は、内側蓋１０または外側蓋１００上に配置されてよく、第２の連結棒６２は、２つの支持部６４上で支持され、２つの支持部６４の連結ラインに沿って支持部６４に対して摺動可能に配設される。
【００４６】
好ましくは、この実施形態では、第１の連結棒６１の第２の端部は、外方向に凸状に湾曲された表面を備える。第２の連結棒６２の第１の端部は、第２の連結棒６２の並進方向に対して斜めに配設された平面を備え、この平面は、外方向に凸状に湾曲された表面と当接し共働する。このようにして、ボタン７１の上下移動と共に上下に移動するとき、第１の連結棒６１の第２の端部は、第２の連結棒６２の前述された平面に対して容易に移動することができ、それにより、第１の連結棒６１の第２の端部の上下移動は、第２の連結棒６２の並進移動に変換され、それによって第２の連結棒６２の第２の端部、すなわち作動機構６０の作動部が、排気貫通穴シーリング手段５０に対する相対位置を変更することを容易にする。
【００４７】
この実施形態では、第２の弾性シールリング８０と作動装置６０の間の相互影響を防止するために、第２の弾性シールリング８０は、装着穴を備え、第２の連結棒６２および第２の弾性シールリング８０の装着穴は、密閉式に係合される。
【００４８】
この場合、第２の連結棒６２は、第２の連結棒６２の第１の端部と第２の端部との間に配設された固定部を備える。第２の連結棒６２は、固定部によって第２の弾性シールリング８０に密封式に固定される。
【００４９】
図５に示されるように、この実施形態では、好ましくは、固定部は、第１の環状部６２１および第２の環状部６２２を備え、それら両環状部の間には、第２の弾性シールリング８０の装着穴が配設され、第１の環状部６２１および第２の環状部６２２それぞれは、第２の弾性シールリング８０と当接する。こうして、作動機構６０上のボタン７１に対する押さえ力の駆動作用により、第２の連結棒６２の並進移動は、第２の弾性シールリング８０の局所的弾性変形をもたらすことができ、それにより、第２の連結棒６２の並進移動は、第２の弾性シールリング８０によって限定されない。
【００５０】
この実施形態では、ボタン７１に対する押さえ力が除去されたとき、ボタン７１の作動機構６０に対する駆動力は、消滅する。排気貫通穴シーリング手段５０および第２の弾性シールリング８０の弾性力により、作動機構６０は、機能位置から非機能位置に自動的に戻ることができる。
【００５１】
図示されない実施形態では、炊飯器は、作動機構６０に駆動式に連結されたリセット機構をさらに備えることができる。係止部７０が非係止位置から係止位置に戻ったとき、リセット機構は、作動機構６０を駆動して機能位置から非機能位置に戻す。たとえば、リセット機構は、ばねでよく、その一方の端部は、２つの支持部６４の間に配設された第２の連結棒６２の棒本体に連結され、その他方の端部は、排気貫通穴シーリング手段５０に最も近い支持部６４と当接する。
【００５２】
この実施形態では、第１の弾性シールリング３０、第２の弾性シールリング８０、および排気貫通穴シーリング手段５０は、シリコーン材料からそれぞれ一体的に形成される。
【００５３】
さらに好ましくは、第１の弾性シールリング３０は、内側蓋２０が内側ポット１０上にスナップ留めされるときに、ポット空洞４０の内部空気圧力と外部空気圧力の間の差が、第１の圧力差より大きくなることを可能にする変形を生み出すように構成される。したがって、内側蓋２０がスナップ留めされるとき、ポット空洞４０内のガスの一部は、排出されることが可能であり、したがって内側２０が内側ポット１０上に完全にスナップ留めされた後、排気貫通穴２１は、弾性シーリングディスク５１によって密封されることが可能であり、それにより、ポット空洞４０の内部は、ポット空洞４０の外部から隔離され、これは、炊飯器内の食品の鮮度および温置に役立つ。
【００５４】
この実施形態による炊飯器の作動原理が、図２から図５に関連して以下で説明される。
【００５５】
図３に示されるように、炊飯器の内側蓋２０が内側ポット１０上にスナップ留めされたとき、第１の弾性シールリング３０が、内側蓋２０の縁と当接した後、内側蓋２０と内側ポット１０の間の連結部は、密封される。内側蓋２０が内側ポット１０に向かって押し下げられ続けるとき、第１の弾性シールリング３０は、押さえられて変形し、ポット空洞４０内のガスは、内部空気圧力まで圧縮され、内部空気圧力と外部空気圧力（この実施形態では、大気圧）の間の差が、弾性シーリングディスク５１の弾性力に打ち勝つ。ポット空洞４０内のガスＡの一部は、内側蓋２０が内側ポット１０上に完全にスナップ留めされるまで、通気ポートＯ、通気通路Ｇ、弾性シーリングディスク５１と内側蓋２０の間の空隙、および排気弁組立体９０を順次流れ抜け、次いで退出する。その後、排気貫通穴２１は、弾性シーリングディスク５１によって密封され、外部空気は、ポット空洞４０に入ることができず、それにより、ポット空洞４０内の食品は、外部環境から隔離される。
【００５６】
同様に、食品調理中、水蒸気がポット空洞４０内に常に生み出されるために、ポット空洞４０内のガスＡの圧力が大気圧および弾性シーリングディスク５１の弾性力に打ち勝ったとき、空隙が、弾性シーリングディスク５１と内側蓋２０の外面との間に形成される。このとき、ポット空洞４０内のガスＡの一部は、通気ポートＯ、通気通路Ｇ、弾性シーリングディスク５１と内側蓋２０の間の空隙、および排気弁組立体９０を順次流れ抜け、次いで退出する。この時点で、係止部７０のボタン７１は、自由状態にあり、ラッチ７２は、内側蓋２０および内側ポット１０をスナップ係止された状態にし、作動機構６０の作動部、すなわち第２の連結棒６２の第２の端部は、排気貫通穴シーリング手段５０の隆起５３から分離される。
【００５７】
図４に示されるように、食品が調理された後、加熱プレート１３０は、内側ポット１０を加熱することを停止し、ガスは、ポット空洞４０内に新たに生み出されず、ポット空洞内のガスは、熱膨張および収縮を被り、ポット空洞４０内の圧力は、大気圧Ｐおよび弾性シーリングディスク５１の弾性力の合計を下回っていく。大気圧Ｐおよび弾性シーリングディスク５１の弾性力の組み合わされた作用の下、弾性シーリングディスク５１は、内側蓋１０の外面上に密接に重ねられ、ポット空洞４０が密封された空洞を形成することを可能にする。こうして、ポット空洞は、負圧状態を維持する。空気はポット空洞４０に入ることができないため、炊飯器内の食品の温置および鮮度の時間が、長くされ得る。このとき、係止部７０および作動機構６０の状態は、図３に示される状態と比較して変更されない。
【００５８】
図５に示されるように、炊飯器の蓋が開かれたとき、係止部７０のボタン７１は、押さえられてボタン７１を自由状態から押下状態に変換させる。このプロセス中、一方では、ボタン７１は、内側蓋２０および内側ポット１０をスナップ係止が解放された状態にするために、ラッチ７２を駆動して作用させ、他方では、ボタン７１は、第１の連結棒６１の第１の端部を駆動して下方向に移動させ、第１の連結棒６１をヒンジシャフト６３の周りで回転させ、第１の連結棒６１の第２の端部を上方向に移動させる。第１の連結棒６１の第２の端部の外方向に凸状に湾曲された表面は、第２の連結棒の第１の端部の斜め平面に対して移動し、こうして第２の連結棒６２を駆動して排気貫通穴シーリング手段５０に向かって移動させる。最後に、第２の連結棒６２の第２の端部は、隆起５３と当接し、隆起５３を駆動して変位させる。隆起５３の駆動の下、弾性シーリングディスク５１は、変形され、空隙が、弾性シーリングディスク５１と内側蓋２０の外面の間に形成される。この時点で、ポット空洞４０の内部および外部は、連通しており、それにより、外部空気はポット空洞４０に入り、その結果ポット空洞４０の内部空気圧力と外部空気圧力の間に圧力均衡を生じさせる。ポット空洞４０内の負圧状態が解放され、こうして内側蓋２０および内側ポット１０は、互いに容易に分離され得る。
【００５９】
第２の連結棒６２および第２の弾性シールリング８０は、固定されるため、第２の連結棒６２の第１の位置から第２の位置までの移動は、第２の弾性シールリング８０の局所的変形、すなわち図５において点線で示された状態から実線で示された状態までの変形を結果として生じさせる。しかし、第２の弾性シールリング８０自体の弾性効果により、この変形は、第２の弾性シールリング８０の元の密封効果を破壊するほど十分ではない。
【００６０】
ボタン７１が解放された後、作動機構６０は、排気貫通穴シーリング手段５０および第２の弾性シールリング８０の弾性効果の下、機能位置から非機能位置まで自動的に戻る。
【００６１】
上記の説明から見られ得るように、以下の技術的効果が、上記で説明された実施形態によって達成され得る。
【００６２】
内側蓋２０の排気貫通穴２１に提供された排気貫通穴シーリング手段により、食品調理中、ポット空洞内のガスの圧力は、大気圧および弾性シーリングディスク５１の弾性力より大きく、したがってポット空洞内のガスは、排気貫通穴シーリング手段５０の弾性シーリングディスク５１を開くことによって排出され得る。食品が調理された後、ポット空洞内のガス圧力が、ある一定の程度まで徐々に低減するとき、弾性シーリングディスク５１は、大気圧の作用の下、内側蓋２０の外面上に重ねられ、それにより、排気貫通穴２１は、完全に閉じられ、空気はポット空洞４０に入ることができず、ポット空洞４０内の食品は、空気から隔離され、したがって食品の温置および鮮度の時間が、長くされ得る。
【００６３】
本発明は、好ましい実施形態を参照して詳細に説明されてきたが、本発明が、開示された実施形態に限定されないことが理解されるものとする。当業者は、さまざまな改変形態および変形形態が、付属の特許請求の範囲に記載されるような本発明の趣旨および範囲から逸脱することなくこれに加えられ得ることを理解するであろう。
【図１】
2016517784.tif 000003
【図２】
2016517784.tif 000004
【図３】
2016517784.tif 000005
【図４】
2016517784.tif 000006
【図５】
2016517784.tif 000007
【国際調査報告】
2016517784.tif 000008
2016517784.tif 000009